(57)【要約】【課題】建築用防振取付金具において、多量のゴム弾性体を必要とせず、根太取付時にぐらつかない、作業性のよい建築用防振取付金具を実現する。【解決手段】根太金具２１に天井根太１１の端部を下側から支持する略Ｕ字状の根太支持部２１ａと、根太支持部２１ａに連結され、ゴム弾性体２３が連結される一対の根太側ゴム取付部２１ｂとを設ける。ベース金具２２に、根太支持部２１ａの下方に所定距離をあけて配置され、躯体側面に取り付けられるベース金具本体２２ａと、ベース金具本体２２ａの一対の根太側ゴム取付部２１ｂの対向する位置にそれぞれ設けられ、弾性体が連結される一対のベース側ゴム取付部２２ｂとを設ける。一対の根太側ゴム取付部２１ｂと一対のベース側ゴム取付部２２ｂの間に天井根太１１の重力を鉛直方向に対して傾斜する方向で支持するようにそれぞれゴム弾性体２３を設ける。【選択図】図１Ａ
2019056262.tif 000002
【特許請求の範囲】
【請求項１】
建物の躯体側面に取付固定されるベース金具と、
上記ベース金具の上側に配設され、根太の端部下側に取付固定される根太金具と、
上記ベース金具と上記根太金具とを連結するゴム弾性体とを備えた建築用防振取付金具であって、
上記根太金具は、
上記根太の端部を下側から支持する略Ｕ字状の根太支持部と、
上記根太支持部に連結され、上記ゴム弾性体の上端が連結される一対の根太側ゴム取付部とを備え、
上記ベース金具は、
上記根太支持部の下方に所定距離をあけて配置され、上記躯体側面に取り付けられるベース金具本体と、
上記ベース金具本体の上記一対の根太側ゴム取付部の対向する位置にそれぞれ設けられ、上記ゴム弾性体の下端が連結される一対のベース側ゴム取付部とを備え、
上記ゴム弾性体は、上記一対の根太側ゴム取付部と上記一対のベース側ゴム取付部の間に上記根太の重力を鉛直方向に対して傾斜する方向で支持するようにそれぞれ設けられている
ことを特徴とする建築用防振取付金具。
【請求項２】
請求項１に記載の建築用防振取付金具において、
上記ゴム弾性体は、上記一対の根太側ゴム取付部と上記一対のベース側ゴム取付部の間に上記根太の重力を鉛直方向に対して４５°傾斜する方向で支持するようにそれぞれ設けられている
ことを特徴とする建築用防振取付金具。
【請求項３】
請求項１又は２に記載の建築用防振取付金具において、
上記一対のベース側ゴム取付部は、上記ベース金具本体の一部を折り曲げて一体に成形されている
ことを特徴とする建築用防振取付金具。
【請求項４】
請求項１から３のいずれか１つに記載の建築用防振取付金具において、
上記根太金具は、上記根太支持部と上記一対の根太側ゴム取付部とが折り曲げにより一体に成形されている
ことを特徴とする建築用防振取付金具。
【請求項５】
請求項１から４のいずれか１つに記載の建築用防振取付金具において、
上記根太支持部の上記根太の端部下面を支える上面は、上記ゴム弾性体の重心よりも下側に配置されている
ことを特徴とする建築用防振取付金具。
【請求項６】
請求項１から５のいずれか１つに記載の建築用防振取付金具において、
上記根太支持部の上記根太の端部下面を支える部分の少なくとも一部は、上記ベース金具本体の真上にある
ことを特徴とする建築用防振取付金具。
【発明の詳細な説明】
【技術分野】
【０００１】
本発明は、建物の躯体と天井根太等との間に設けられる建築用防振取付金具に関する。
【背景技術】
【０００２】
従来より、２階建て住宅等の複層階の建物における躯体と、天井材を吊り下げ支持する天井根太との間の防振構造として、躯体と天井根太との間に介在する防振取付金具が知られている。例えば特許文献１の防振取付金具のように、ゴム弾性体のみで負荷を支持する構造が開示されている。この特許文献１に示される防振金具は、建物の躯体側面に取付固定されるベース金具と、根太の端部に取付固定される根太金具と、ベース金具及び根太金具を連結するゴム弾性体とを備えている。
【先行技術文献】
【特許文献】
【０００３】
【特許文献１】特許第５７０１２６３号公報
【発明の概要】
【発明が解決しようとする課題】
【０００４】
しかし、この特許文献１に示す建築用防振取付金具では、ゴム弾性体が剪断方向で天井根太を躯体に支持しているため、その剛性を確保するために多量のゴムを必要とするという難点がある。
【０００５】
また、取付作業時においては、天井根太の一端側から順に躯体側面に取り付けることとなるが、その際、作業者が終始天井根太の一端側を落下しないように保持していなくてはならず、作業手間がかかってしまう問題もあり、改良すべき余地がある。
【０００６】
しかも、根太を根太受け金具に設置する際に根太の軸周りに回転する動き、すなわちねじれる動きが生じ、施工時に根太が安定しない、という問題もある。
【０００７】
本発明はかかる諸点に鑑みてなされたものであり、その目的は、多量のゴム弾性体を必要とせず、根太取付時にぐらつかない、作業性のよい建築用防振取付金具を実現することにある。
【課題を解決するための手段】
【０００８】
上記の目的を達成するために、この発明では、ゴム弾性体の根太の重力に対する支持方向を鉛直方向に対して傾斜させる方向とした。
【０００９】
具体的には、第１の発明では、建物の躯体側面に取付固定されるベース金具と、
上記ベース金具の上側に配設され、根太の端部下側に取付固定される根太金具と、
上記ベース金具と上記根太金具とを連結するゴム弾性体とを備えた建築用防振取付金具であって、
上記根太金具は、
上記根太の端部を下側から支持する略Ｕ字状の根太支持部と、
上記根太支持部に連結され、上記ゴム弾性体の上端が連結される一対の根太側ゴム取付部とを備え、
上記ベース金具は、
上記根太支持部の下方に所定距離をあけて配置され、上記躯体側面に取り付けられるベース金具本体と、
上記ベース金具本体の上記一対の根太側ゴム取付部の対向する位置にそれぞれ設けられ、上記ゴム弾性体の下端が連結される一対のベース側ゴム取付部とを備え、
上記ゴム弾性体は、上記一対の根太側ゴム取付部と上記一対のベース側ゴム取付部の間に上記根太の重力を鉛直方向とに対して傾斜する方向で支持するようにそれぞれ設けられている。
【００１０】
上記の構成によると、根太の重力を圧縮方向でも支持できるので、特許文献１のように根太の重力を剪断方向でゴム弾性体によって支持する場合に比べてゴム弾性体の量が抑制される上に、根太施工時の根太のねじれ方向の荷重についてもゴム弾性体で確実に支持される。さらに、支持方向が鉛直方向と一致するゴム弾性体により根太の自重を支持するものに比べ、鉛直方向に斜めに設けているためベース金具本体と根太支持部との距離を短くすることができる。このため、天井部の省スペース化にもつながる。
【００１１】
第２の発明では、第１の発明において、
上記ゴム弾性体は、上記一対の根太側ゴム取付部と上記一対のベース側ゴム取付部の間に上記根太の重力を鉛直方向に対して４５°傾斜する方向で支持するようにそれぞれ設けられている。
【００１２】
上記の構成によると、根太の重力による、圧縮方向と剪断方向のばね特性が略同等となるようにすることで、ゴム弾性体のゴム量の増加を抑制しながら、施工時の根太のぐらつきを確実に防止することもできる。なお、４５°というのは、完全に４５°でなければならないという意味ではなく、４５°から多少増減した角度も含む意味である。
【００１３】
第３の発明では、第１又は第２の発明において、
上記一対のベース側ゴム取付部は、上記ベース金具本体の一部を折り曲げて一体に成形されている。
【００１４】
上記の構成によると、ベース側ゴム取付部は、根太支持部の一部を折り曲げて容易に成形される。そして、別々の部品からなるものに比べて部品点数が減り、組付作業も容易となる。
【００１５】
第４の発明では、第１から第３のいずれか１つの発明において、
上記根太金具は、上記根太支持部と上記一対の根太側ゴム取付部とが折り曲げにより一体に成形されている。
【００１６】
上記の構成によると、折り曲げで容易に製造できる上に、別々の部品からなるものに比べて根太金具の部品点数が減って組付が容易となる。
【００１７】
第５の発明では、第１から第４のいずれか１つの発明において、
上記根太支持部の上記根太の端部下面を支える上面は、上記ゴム弾性体の重心よりも下側に配置されている。
【００１８】
上記の構成によると、根太支持部とベース金具本体との距離が短くなり、天井部の省スペース化につながる。
【００１９】
第６の発明では、第１から第５のいずれか１つの発明において、
上記根太支持部の上記根太の端部下面を支える部分の少なくとも一部は、上記ベース金具本体の真上にある。
【００２０】
上記の構成によると、仮にゴム弾性体が破断するなどの場合が生じても、根太支持部がベース金具本体に支えられて根太が落下することはない。
【発明の効果】
【００２１】
以上説明したように、本発明によれば、根太の重力を鉛直方向に対して傾斜する方向で支持するように、一対の根太側ゴム取付部と一対のベース側ゴム取付部の間にそれぞれゴム弾性体を設けたことにより、根太の重力を支えることも、根太のねじれを抑えることもできるので、多量のゴム弾性体を必要とせず、根太取付時にぐらつかない、作業性のよい建築用防振取付金具を実現することができる。
【図面の簡単な説明】
【００２２】
【図１Ａ】本発明の実施形態に係る建築用防振取付金具を示す斜視図である。
【図１Ｂ】本発明の実施形態に係る建築用防振取付金具を示す正面図である。
【図１Ｃ】本発明の実施形態に係る建築用防振取付金具を示す背面図である。
【図１Ｄ】本発明の実施形態に係る建築用防振取付金具を示す平面図である。
【図１Ｅ】本発明の実施形態に係る建築用防振取付金具を示す底面図である。
【図１Ｆ】本発明の実施形態に係る建築用防振取付金具を示す右側面図である。
【図２】本発明の実施形態に係る建築用防振取付金具で根太を支持する様子を示す断面図である。
【発明を実施するための形態】
【００２３】
以下、本発明の実施形態を図面に基づいて詳細に説明する。以下の好ましい実施形態の説明は、本質的に例示に過ぎず、本発明、その適用物或いはその用途を制限することを意図するものではない。
【００２４】
図２は本発明の実施形態に係る天井構造を示し、この天井構造は、例えば枠組壁工法（２×４工法）により建てられる２階建て住宅等の建物の天井構造である。建物の１階部分及び２階部分の間に配置される躯体としての上部構造体１は、例えば木材を２枚重ねた周囲材２（床梁材）と、その周囲材２に架設された複数の床根太（図示せず）とを有する。上部構造体１上には、階上の床材４が支持されており、この床材４は床仕上材５及び床下地材６が上から順に積層されて形成される。
【００２５】
上部構造体１の周囲材２（躯体の側部）には、床根太間の位置に、この床根太と平行に延びる複数の天井根太１１が掛け渡されて支持されており、この天井根太１１に野縁１３を介して天井材１４が吊り下げ支持されている。すなわち、天井根太１１の端部を除く中間部の側面には、防振吊木１２を介して野縁１３が固定され、これら野縁１３の下面に例えば２枚の石膏ボードを重ねた階下の天井材１４が取付固定されている。図示しないが、野縁１３上には、例えば遮音用のグラスウールが設けられていてもよい。
【００２６】
各天井根太１１の両端部はそれぞれ上部構造体１の周囲材２に対し、本発明の実施形態に係る建築用防振取付金具２０を介して支持されている。
【００２７】
上記建築用防振取付金具２０は、図１Ａ〜図１Ｆに拡大して示すように、建物の躯体としての上部構造体１の側面に取付固定されるベース金具２２を備えている。このベース金具２２は、例えば鋼板のプレス構造よりなる。このベース金具２２の上側には、天井根太１１の端部下側に取付固定される根太金具２１が設けられている。このベース金具２２は、例えば鋼板のプレス構造よりなる。そして、ベース金具２２と根太金具２１とがゴム弾性体２３で連結されている。なお、根太金具２１及びベース金具２２は、鋼板のプレス構造以外の溶接構造、締結構造でもよく、アルミ合金、樹脂等で構成してもよい。
【００２８】
具体的には、根太金具２１は、天井根太１１の端部を下側から支持する略Ｕ字状の根太支持部２１ａを備えている。略Ｕ字状といっても、木材よりなる根太は、角部が尖っており、その根太の下側に嵌め込まれるため、角部はほとんど丸まっておらず、外周にプレス成形時の丸みを帯びる程度となっている。根太支持部２１ａは、根太端部側面にタッピングネジ（クギ等でもよい。以下同様）を打ち込むための側部長穴２１ｄと、根太端部底面にタッピングネジを打ち込むための下部貫通孔２１ｅとを有する。
【００２９】
この根太支持部２１ａには、ゴム弾性体２３の上端が連結される一対の根太側ゴム取付部２１ｂが折り曲げ成形されている。例えば、根太支持部２１ａの側面との間にスリット２１ｃを設け、水平方向外側へ約４５°折り曲げて成形される（図１Ｂにおいて、θ＝４５°）。
【００３０】
一方、ベース金具２２は、根太支持部２１ａの下方に所定距離をあけて配置されるベース金具本体２２ａを有する。このベース金具本体２２ａは、例えば矩形板状の鋼板で構成され、その両側が水平方向外側に向かって上方へ約４５°折り曲げられてゴム弾性体２３の下端が連結される一対のベース側ゴム取付部２２ｂが成形されている。一対のベース側ゴム取付部２２ｂは、ベース金具本体２２ａの上記一対の根太側ゴム取付部２１ｂの対向する位置に略平行に設けられている。このベース側ゴム取付部２２ｂにおける根太支持部２１ａと反対側には、約９０°折り曲げられることで、上部構造体１の側面に取り付けられる金具取付部２２ｃが設けられており、この金具取付部２２ｃには、上部構造体１にタッピングネジを打ち込むための側方貫通孔２２ｄが形成されている。
【００３１】
そして、図１Ｂに示すように、ゴム弾性体２３は、一対の根太側ゴム取付部２１ｂと一対のベース側ゴム取付部２２ｂの間に天井根太１１の重力を鉛直方向に対して傾斜する方向で支持するようにそれぞれ設けられている。本実施形態では、鉛直方向に対して約４５°傾斜させている（θ＝４５°）が、θは３０°や６０°などでもよい。約４５°であれば、天井根太１１の重力の支持と水平方向のねじれ支持とのいずれにも耐力があるが、重力支持を重視する場合、ねじれ支持を重視する場合等で角度を変えてもよい。ゴム弾性体２３は、例えば直方体状の中実ゴムからなり、加硫により接着固定されているが、その形状は円柱状の中実ゴムでもよい。このゴム弾性体２３により、根太支持部２１ａ下面と、ベース金具本体２２ａ上面との間に所定の空間が確保されている。
【００３２】
そして、図１Ｂに示すように、根太支持部２１ａの天井根太１１の端部下面を支える上面は、ゴム弾性体２３の重心Ｇよりも下側に配置されている。すなわち、端部下面を支える上面が重心Ｇよりも高さＨだけ下に配置されている。
【００３３】
このような建築用防振取付金具２０を用いて上部構造体１の周囲材２（躯体側部）に天井根太１１を支持することで、その施工状態では天井根太１１及び根太金具２１は周囲材２に固定されたベース金具２２に対してゴム弾性体２３の圧縮方向及び剪断方向に弾性支持される。さらに、上記天井根太１１と野縁１３との間に防振吊木１２が介在され、野縁１３及び天井材１４は防振吊木１２を介して天井根太１１に支持される。
【００３４】
次に、上記上部構造体１に天井根太１１及び天井材１４を施工する手順について説明する。各天井根太１１を２つの建築用防振取付金具２０によって上部構造体１の周囲材２（躯体側部）に取付固定することとなる。
【００３５】
具体的には、まず、上部構造体１の周囲材２における側面の所定の高さ位置に各建築用防振取付金具２０の取付位置を墨出しする。そして、その一方の取付位置に、天井根太１１の一端部に取り付けようとする建築用防振取付金具２０を、根太金具２１が上側に位置するようにベース金具２２の金具取付部２２ｃを当接させて配置し、タッピングネジ（図示せず）を金具取付部２２ｃの各側方貫通孔２２ｄに挿通させて周囲材２にねじ込んで締結することにより、建築用防振取付金具２０をベース金具２２にて上部構造体１の周囲材２側面に取付固定する。
【００３６】
次いで、天井根太１１を所定の長さ（周囲材２の内々寸法から所定寸法だけ短い長さ）に切断した後、その天井根太１１の一端部を押し上げて天井根太１１を傾斜させ、その押し上げた一端部を、上記取り付けた建築用防振取付金具２０における根太支持部２１ａに上方から天井根太１１の下面が載るように嵌め込む。
【００３７】
そして、天井根太１１の他端部を押し上げながら一端部側へ押し込み、天井根太１１を水平にして、根太金具２１上に仮置きする。こうすることで、後続の作業において天井根太１１の一端部が落下することを防ぐことができる。ここで、例えばゴム弾性体２３の支持方向が天井根太１１の重力の鉛直方向に一致するように設置されていると、重力方向の耐力は大きいが、ねじり方向の力に弱く大きくぐらついてしまう。しかし、本実施形態では、θ＝４５°としてゴム弾性体２３の圧縮方向と剪断方向のばね特性が略同等となるように傾けて配置しているので、ゴム弾性体２３のゴム量の増加を抑制しながらも、施工時の天井根太１１のぐらつきを確実に防止することができる。
【００３８】
その後、天井根太１１の他端部に別の建築用防振取付金具２０を配置し、その根太金具２１の根太支持部２１ａに天井根太１１の端部を嵌挿する。
【００３９】
そして、天井根太１１を他端側へ適正位置まで引き戻し、その状態で、天井根太１１の他端部側に用いる建築用防振取付金具２０を取付位置にベース金具２２の金具取付部２２ｃを当接させて配置し、タッピングネジＳを金具取付部２２ｃの各側方貫通孔２２ｄに挿通させて周囲材２にねじ込んで締結することにより、ベース金具２２を上部構造体１の周囲材２に取付固定する。このときも、天井根太１１がねじれないので、作業性がとてもよい。
【００４０】
この状態では、天井根太１１は未だ固定されていない。その後、各建築用防振取付金具２０の根太金具２１における根太支持部２１ａの側部長穴２１ｄ及び下部貫通孔２１ｅにタッピングネジを挿通して天井根太１１にねじ込むことで、建築用防振取付金具２０と天井根太１１とを固定する。
【００４１】
このようにして天井根太１１が施工されると、その後、天井根太１１に防振吊木１２を介して野縁１３、天井材１４及びグラスウールを吊り下げ支持すればよい。
【００４２】
なお、施工手順は、天井根太１１の両端に建築用防振取付金具２０を取り付けてから周囲材２に固定する方法でもよい。この場合でも、建築用防振取付金具２０により天井根太１１のねじれが抑制されるので、施工が容易である。
【００４３】
上記のように、天井根太１１及び根太金具２１をベース金具２２に対してゴム弾性体２３により弾性支持している構造において、ゴム弾性体２３が火災時等で焼けて破断した場合や、天井根太１１の傾き、ズレ、ねじれなどによりゴム弾性体２３に急激な力が加わってベース金具２２と根太金具２１とのゴム弾性体２３による連結が解除された場合には、根太金具２１側の天井根太１１が野縁１３や天井材１４と共に落下する虞れがある。しかし、本実施形態では、図１Ｄにハッチングで示したように、根太支持部２１ａの天井根太１１の端部下面を支える部分の少なくとも一部は、ベース金具本体２２ａの真上にあるので、仮にベース金具２２と根太金具２１とのゴム弾性体２３による連結が解除されたときでも、根太金具２１をベース金具２２の底部（金具本体）によって受け止めることができる。このことにより、根太金具２１側の天井根太１１、野縁１３や天井材１４がベース金具２２側の周囲材２に対して落下するのを阻止することができる。
【００４４】
本実施形態では、特許文献１のように天井根太１１の重力を剪断方向でゴム弾性体２３によって支持する場合に比べてゴム弾性体２３の量が抑制され、また、天井根太１１施工時の天井根太１１のねじれ方向の荷重についてもゴム弾性体２３で確実に支持される。
【００４５】
さらに、根太支持部２１ａの天井根太１１の端部下面を支える上面をゴム弾性体２３の重心Ｇよりも下側に配置したので、鉛直方向にゴム弾性体２３により天井根太１１の自重を支持するものに比べてベース金具本体２２ａと根太支持部２１ａとの距離を短くすることができる。このため、天井部の省スペース化にもつながる。
【００４６】
本実施形態では、ベース側ゴム取付部２２ｂは、ベース金具本体２２ａの一部を折り曲げて成形されるので、容易に製造できる上、部品点数が減り、組付作業も容易となる。また、根太金具２１を根太支持部２１ａと一対の根太側ゴム取付部２１ｂとが折り曲げにより一体に成形されたものとしたので、容易に製造できる上、根太金具２１の部品点数が減って組付が容易となる。
【００４７】
以上説明したように、本発明によれば、一対の根太側ゴム取付部２１ｂと一対のベース側ゴム取付部２２ｂの間に天井根太１１の重力を鉛直方向に対して傾斜する方向で支持するようにそれぞれゴム弾性体２３を設けたことにより、多量のゴム弾性体２３を必要とせず、天井根太１１の取付時にぐらつかない、作業性のよい建築用防振取付金具２０を実現することができる。
【００４８】
（その他の実施形態）
なお、上記実施形態では、枠組壁工法（２×４工法）により建てられる建物の天井構造について説明しているが、本発明は、軸組工法（木造在来工法）や軽量鉄骨等により建てられる建物の天井構造に対しても適用することができるし、また、天井構造以外（例えば床構造）における根太の防振においても適用することができる。
【００４９】
また、上記実施形態では天井材１４が防振吊木１２を介して天井根太１１に吊り下げ支持される構造となっているが、例えばタッピングネジなどを用いて、天井材１４を天井根太１１に直接固定してもよい。
【符号の説明】
【００５０】
１      上部構造体（躯体）
２      周囲材
４      床材
５      床仕上材
６      床下地材
１１      天井根太
１２      防振吊木
１３      野縁
１４      天井材
２０      建築用防振取付金具
２１      根太金具
２１ａ    根太支持部
２１ｂ    根太側ゴム取付部
２１ｃ    スリット
２１ｄ    側部長穴
２１ｅ    下部貫通孔
２２      ベース金具
２２ａ    ベース金具本体
２２ｂ    ベース側ゴム取付部
２２ｃ    金具取付部
２２ｄ    側方貫通孔
２３      ゴム弾性体
【図１Ａ】
2019056262.tif 000003
【図１Ｂ】
2019056262.tif 000004
【図１Ｃ】
2019056262.tif 000005
【図１Ｄ】
2019056262.tif 000006
【図１Ｅ】
2019056262.tif 000007
【図１Ｆ】
2019056262.tif 000008
【図２】
2019056262.tif 000009